【事件の表示】
　特願２００６−１６２５２９「マルチメディアユーザインタフェース」拒絶査定不服審判事件〔平成１８年１２月２１日出願公開、特開２００６−３４５５３７〕について、次のとおり審決する。
【結　論】
　本件審判の請求は、成り立たない。
【理　由】
１　手続の経緯・本願発明　
　本願は、２００４年４月１６日（パリ条約による優先権主張２００３年５月１日、米国）を国際出願日とする特願２００６−５１３０８８号の一部を、平成１８年６月１２日に新たな特許出願（分割出願）としたものであって、平成２２年９月２８日付けで拒絶査定がされ（発送日：同年１０月５日）、これに対して平成２３年１月２８日に審判の請求がなされ、同時に手続補正がなされたものである。そして、本願の請求項１に係る発明は、平成２３年１月２８日付けの手続補正書の特許請求の範囲の請求項１に記載された事項により特定される以下のとおりのものである（以下、「本願発明」という。）。
　
「ハンドヘルド入力装置の上下動、左右動又は回転のうちの１つに応答してディスプレイ上に表示されるべき、メモリにキャッシュされた番組の現在再生中の位置を変更する方法であって、
　前記ディスプレイ上に前記キャッシュされた番組を表示する段階と、
　前記メモリにキャッシュされた番組を再生している間に、前記ディスプレイ上に選択可能な再生位置の範囲を表示する段階と、
　前記入力装置の前記上下動、左右動又は回転を検出する段階と、
　前記入力装置の前記上下動、左右動又は回転に応答して前記再生位置のうちの１つを選択する段階と、
　前記再生位置の選択に応答して前記ディスプレイ上に前記選択された再生位置の前記番組を表示する段階と、
　を有する方法。」
　
２　引用刊行物記載の発明　
　原査定の拒絶の理由に引用された、本願の優先日前である１９９４年（平成６年）８月１９日に公開された特開平６−２３３３５２号公報（以下、「引用例」という。）には、図面とともに、以下の事項が記載されている。（下線は当審付与。）
　
（１）　段落【００１９】
「【００１９】
振動ジャイロとは
Ｆ＝２ｍｖω
（ｍ：質量、ｖ：速度、ω：角速度）従って、角速度ωはコリオリ力Ｆに比例することになり、コリオリ力Ｆを検出することで
回転角速度を検出することができる
　
（２）　段落【００２４】−【００２５】
「【００２４】エンターキー７が押された場合は、無条件にエンターコマンドを発生させる (F101→F102) が、それ以外の場合、入力された電圧Ｅ（デジタルデータ）を電圧値Ｖａ，Ｖｂ，Ｖｃ，Ｖｄと比較する。そして、Ｖｃ＜Ｅ＜Ｖｄであれば、即ちリモートコマンダーＲが上方へ振られた場合はアップコマンドをＲＯＭ５ｂ又はＲＡＭ５ｃから読み出す (F103→F104) 。また、Ｖａ＜Ｅ＜Ｖｂであれば、即ちリモートコマンダーＲが下方へ振られた場合はダウンコマンドを読み出す (F105→F106) 。なお、制御部５において入力された電圧Ｅが、Ｖｂ≦Ｅ≦Ｖｃの場合は、コマンドコードの発生を行なわないが、これは、リモートコマンダーＲに対してユーザーがちょっと
触ったり持ち歩いたり
【００２５】このようにして制御部５から発生されたコマンドコードは送信部８において所定の変調処理が施され、赤外線信号、又は電波により、所定機器に対して出力される。従って、本実施例のリモートコントロールシステムにおける
リモートコマンダーＲとしては
振動ジャイロ１をリモートコマンダーＲ内において垂直方向ｙ及び水平方向ｘに対応する移動情報（角速度）検出手段として、直交方向に２単位設け（１ｘ，１ｙ）、
　
（３）　段落【００３８】−【００４４】
「【００３８】以下説明する第１の実施例の動作では、・・・
　　　
　　　・・・（中略）・・・
　　　
・・・以下、図７のフローチャートに基づいてリモートコマンダー１による操作情報が入力された際の動作を説明する。
【００４０】当初、ＡＶセレクタアンプ１０ではＶＴＲ６１が入力選択されており
ＶＴＲ６１からの再生信号が映像信号としてはモニタ装置７０に供給され、
映像を表示して
【００４１】
ここで、
ユーザーがリモートコマンダーＲの操作を行ない、何らかのコマンドコードが送信されて赤外線受信部２２から制御部２３に取り込まれると
映像入力セレクタ部１４からの映像信号に所定のキャラクタ画像がスーパーインポーズされてモニタ装置７０に供給され、
ポインタＰ及び、ＶＴＲ６１に関する操作用画像ＳＤが表示され
　　　
　　　・・・（中略）・・・
　　　
【００４３】次に、
入力されたコマンドコードが
エンターコマンドであった場合はその時点のポインタＰの位置によって示される操作用画像に対応するコマンドコードをＲＯＭ２３ｂ又はＲＡＭ２３ｃから読み出して送信
ｘ，ｙ変位情報であったら、それに応じてポインタＰを画面上で移動させ
【００４４】例えば図１２のように
モニタ装置７０の画面上で操作用画像ＳＤとしてＶＴＲ６１に対する巻戻、再生、早送り、停止、一時停止、録画等の操作用画像が表示された後、ポインタＰが
『早送り』の操作用画像ＳＤ上に移動されている時点で、リモートコマンダーＲからエンターコマンドが供給されたら、制御部２３は『ＶＴＲ早送り』のコマンド信号を送出して赤外線送信部２６から出力させ、ＶＴＲ６１の赤外線受信部６１ａに受信されるように
これによりＶＴＲ６１では早送りが実行される
　
　これらの記載から、引用例には次の発明（以下、「引用発明」という。）が記載されていると認められる。 
　
「リモートコマンダーＲとしては、回転角速度を検出することができる振動ジャイロ１をリモートコマンダーＲ内において垂直方向ｙ及び水平方向ｘに対応する移動情報（角速度）検出手段として、直交方向に２単位設け（１ｘ，１ｙ）、
　ＶＴＲ６１からの再生信号が映像信号としてはモニタ装置７０に供給され、映像を表示しており、
　ここで、ユーザーがリモートコマンダーＲの操作を行ない、何らかのコマンドコードが送信されて赤外線受信部２２から制御部２３に取り込まれると、
　映像入力セレクタ部１４からの映像信号に所定のキャラクタ画像がスーパーインポーズされてモニタ装置７０に供給され、ポインタＰ及び、ＶＴＲ６１に関する操作用画像ＳＤが表示され、
　入力されたコマンドコードが、エンターコマンドであった場合はその時点のポインタＰの位置によって示される操作用画像に対応するコマンドコードをＲＯＭ２３ｂ又はＲＡＭ２３ｃから読み出して送信し、ｘ，ｙ変位情報であったら、それに応じてポインタＰを画面上で移動させ、
　モニタ装置７０の画面上で操作用画像ＳＤとしてＶＴＲ６１に対する巻戻、再生、早送り、停止、一時停止、録画等の操作用画像が表示された後、ポインタＰが『早送り』の操作用画像ＳＤ上に移動されている時点で、リモートコマンダーＲからエンターコマンドが供給されたら、制御部２３は『ＶＴＲ早送り』のコマンド信号を送出して赤外線送信部２６から出力させ、ＶＴＲ６１の赤外線受信部６１ａに受信されるようにし、これによりＶＴＲ６１では早送りが実行される、方法。」
　
３　対比　
　本願発明と引用発明とを対比する。
（１）　引用発明の「リモートコマンダーＲ」は、ユーザーが「
触ったり持ち歩いたり
　引用発明のリモートコマンダーＲが、
回転
垂直
水平
左右動
　引用発明のリモートコマンダーＲを移動させて、「ＶＴＲ６１に対する巻戻、再生、早送り、停止、一時停止、録画等の操作用画像が表示された後」、ポインタＰが『早送り』の操作用画像上に移動されているときに、エンターコマンドにより、「ＶＴＲ早送り」のコマンド信号が送信され、ＶＴＲでは早送りが実行されることは、ＶＴＲで「早送り」等の操作を実行すれば、ＶＴＲが再生する映像信号の位置、すなわち、「番組の現在再生中の位置」が変更されると認められるから、本願発明の「ハンドヘルド入力装置の上下動、左右動又は回転のうちの１つに応答してディスプレイ上に表示されるべき、
メモリにキャッシュされた
　
（２）　引用発明の「ＶＴＲ６１からの再生信号が映像信号としてはモニタ装置７０に供給され、映像を表示」することは、本願発明の「前記ディスプレイ上に前記
キャッシュされた
　
（３）　引用発明のモニタ装置７０に，映像信号にスーパーインポーズされた、「ポインタＰ及び、ＶＴＲ６１に関する操作用画像ＳＤが表示され」ることは、本願発明の「前記
メモリにキャッシュされた
選択可能な再生位置の範囲
　
（４）　上記（１）のように、引用発明のリモートコマンダーＲが、
回転
垂直
水平
　
（５）　上記（１）のように、引用発明のリモートコマンダーＲにより、「ＶＴＲ６１に対する巻戻、再生、早送り、停止、一時停止、録画等の操作用画像が表示された後」、ポインタＰが『早送り』の操作用画像上に移動されているときに、エンターコマンドにより、「ＶＴＲ早送り」のコマンド信号が送信されることは、本願発明の「前記入力装置の前記上下動、左右動又は回転に応答して前記
再生位置のうちの１つを選択する
　
（６）　引用発明において、『ＶＴＲ早送り』のコマンド信号を送出することによって、ＶＴＲ６１で早送りが実行されることは、本願発明の「前記
再生位置の選択
前記選択された再生位置の
　
　したがって、本願発明と引用発明の一致点、相違点は以下のとおりである。
　
［一致点］
「ハンドヘルド入力装置の上下動、左右動又は回転のうちの１つに応答してディスプレイ上に表示されるべき、番組の現在再生中の位置を変更する方法であって、
　前記ディスプレイ上に、前記番組を表示する段階と、
　前記番組を再生している間に、前記ディスプレイ上に、再生位置の変更のための画像を表示する段階と、
　前記入力装置の前記上下動、左右動又は回転を検出する段階と、
　前記入力装置の前記上下動、左右動又は回転に応答して、前記再生位置の変更を指示する段階と、
　前記再生位置の変更の指示に応答して前記ディスプレイ上に前記変更を指示された再生位置の前記番組を表示する段階と、
　を有する方法。」である点。
　
［相違点１］
　本願発明は、ハンドヘルド入力装置の上下動、左右動又は回転のうちの１つに応答してディスプレイ上に表示されるべき、「メモリにキャッシュされた」番組の現在再生中の位置を変更する方法であって、前記ディスプレイ上に「前記キャッシュされた」番組を表示する段階と、「前記メモリにキャッシュされた」番組を再生している間に、前記ディスプレイ上に、表示をする段階を有するのに対して、引用発明は、ＶＴＲ６１からの再生信号が映像信号としてモニタ装置に表示されることは記載があるものの、「メモリにキャッシュされた」番組を表示することは記載がない点。
　
［相違点２］
　本願発明は、番組を再生している間に、前記ディスプレイ上に「選択可能な再生位置の範囲」を表示する段階と、前記入力装置の前記上下動、左右動又は回転に応答して「前記再生位置のうちの１つを選択する」段階と、「前記再生位置の選択」に応答して前記ディスプレイ上に「前記選択された再生位置の」前記番組を表示する段階を含むのに対して、引用発明は、ＶＴＲ６１に対する巻戻、再生、早送り、停止、一時停止、録画等の操作用画像を表示して、これを選択するものであって、「選択可能な再生位置の範囲」を表示して、「前記再生位置のうちの１つを選択する」段階と、「前記再生位置の選択に応答して」前記ディスプレイ上に「前記選択された再生位置の」前記番組を表示する段階を備えることは記載がない点。
　
４．相違点についての判断
［相違点１について］
　処理の高速化等のために、画像情報を、メモリに一時的に保存（キャッシュ）することは、周知技術である（以下、「周知技術１」という。＜１＞吉田晃、“使える”ストリーミング，日経Ｉｎｔｅｒｎｅｔ  Ｓｏｌｕｔｉｏｎｓ、日本、日経ＢＰ社、２００２年１２月２２日、第６６号、ｐ．８９−１０４（以下「周知例１」という。９２ページ右欄２２行−９３ページ左欄３行「実際には、再生開始時にある程度のデータを
バッファにため込む必要があるため
メモリーに展開され、
メモリーからは消去され
コンテンツを
キャッシュしておき
キャッシュ
は、メモリ１５４の一部としても
メモリ１５４）に
たとえばビデオ、
ムービーなど）を保管することができる
バッファ６を介して
　よって、引用発明に、画像情報を、メモリに一時的に保存（キャッシュ）する周知技術１を付加することで、ハンドヘルド入力装置の上下動、左右動又は回転のうちの１つに応答してディスプレイ上に表示されるべき、「メモリにキャッシュされた」番組の現在再生中の位置を変更する方法であって、前記ディスプレイ上に「前記キャッシュされた」番組を表示する段階と、「前記メモリにキャッシュされた」番組を再生している間に、前記ディスプレイ上に、表示する段階を有する、相違点１に係る構成とすることは、当業者が適宜採用すべき設計的事項であると認められる。
　
［相違点２について］
　画像再生装置を操作する手段として、「シーク・バー」などの、時間軸上に再生位置を表示して、再生位置を選択するものは、周知技術である（以下、「周知技術２」という。＜１＞上記周知例１（９３ページ中央欄３−５行「ストリーミングの場合は、
プレーヤのシーク・バーを操作することで、別のシーンにスキップできる
現在時間マーカ２７４の位置によって、
現在再生されている時間）が示される
現在選択されている時間に
シークバー（動画像の再生時間を横軸にとり再生中のフレームを上記横軸上の1点で表したもの）
現在位置指示ゲージ１７２が示す位置は、現在
再生している画像の時点に対応する
希望するシーンをすぐに見ることができる
大単位／小単位の順方向／逆方向スキップ命令を制御モジュール４１０に入力すると
目次形態（Table of Content；ＴＯＣ）のインタフェースを利用して
所望する部分に容易に接近することができる
従来からある映像再生装置には、画面上にスクロールバーを表示し、スクロールバー上でスライダを移動させることによって、スライダの位置に対応する画像を表示させるものが多い
Ｘ分後のフレームを表示する
Ｙ（Ｙ＞Ｘ）分後のフレームを表示する
Ｘ分前のフレームを表示する
Ｙ（Ｙ＞Ｘ）分前のフレームを表示する
　よって、引用発明において、画像再生装置を操作する手段として、「シーク・バー」などの、時間軸上で現在再生中の位置を表示して、再生位置を選択する周知技術２を採用することで、番組を再生している間に、前記ディスプレイ上に、「シーク・バー」などの時間軸として「選択可能な再生位置の範囲」を表示する段階と、前記入力装置の前記上下動、左右動又は回転に応答して、時間軸上での再生位置として「前記再生位置のうちの１つを選択する」段階と、「前記再生位置の選択に応答して」前記ディスプレイ上に「前記選択された再生位置の」前記番組を表示する段階を含む、相違点２に係る構成とすることは、当業者が容易に推考し得ることであると認められる。
　
　そして、本願発明のように構成したことによる効果も引用発明及び各周知技術から予測できる程度のものである。
　
５　むすび　
　したがって、本願発明は、引用発明、及び、各周知技術に基づいて、当業者が容易に発明をすることができたものであるから、本願は、特許法第２９条第２項の規定により特許を受けることができない。
　よって、結論のとおり審決する。